(57)【要約】【課題】  番組本編とコマーシャルとの切り替わり時を知ることができるテレビジョン受信機及び放送システムを提供する。【解決手段】  テレビジョン受信機１は、放送番組に含まれるコマーシャルと番組本編との切り替わり時刻情報を検出する放送内容検出部１５と、コマーシャル切替わり時刻情報に基づいてコマーシャル切替わりに関連するコマーシャルの残り放送時間を算出する残り放送時間算出部１６と、デコードされた映像信号と算出した残り時間とを重ね合わせて表示する表示データ制御部１７とを備えて構成する。【選択図】  図１
2005151049.tif 000002
【特許請求の範囲】
【請求項１】
放送番組を受信するテレビジョン受信機において、
放送番組に含まれるコマーシャルを検出するコマーシャル検出手段と、
前記コマーシャルと番組本編との切り替わり時刻情報を検出する切替わり時刻検出手段と、
前記切替わり時刻情報に基づいてコマーシャル切替わりに関連する情報を作成する関連情報作成手段と、
前記関連情報を出力する出力手段と
を備えることを特徴とするテレビジョン受信機。
【請求項２】
前記切替わり時刻検出手段は、
放送局から送信される放送信号に付加される情報を基に、放送番組に含まれるコマーシャルと番組本編との切り替わり時刻情報を検出することを特徴とする請求項１記載のテレビジョン受信機。
【請求項３】
前記放送信号に付加される情報は、ＥＰＧに含まれる番組付帯情報、又は、テレビジョン信号の垂直帰線消去期間の信号に含まれる情報であることを特徴とする請求項１又は２に記載のテレビジョン受信機。
【請求項４】
前記切替わり時刻検出手段は、
番組毎のコマーシャルの放送実績を学習してコマーシャルのスケジュールデータを構築するコマーシャルデータ構築手段を備え、
前記コマーシャルのスケジュールデータに基づいてコマーシャルと番組本編との切り替わり時刻情報を検出することを特徴とする請求項１乃至３のいずれか一項に記載のテレビジョン受信機。
【請求項５】
前記コマーシャル切替わりに関連する情報は、コマーシャルの残り放送時間であることを特徴とする請求項１乃至４のいずれか一項に記載のテレビジョン受信機。
【請求項６】
前記コマーシャル切替わりに関連する情報は、次のコマーシャルが始まるまでの番組本編の残り放送時間であることを特徴とする請求項１乃至５のいずれか一項に記載のテレビジョン受信機。
【請求項７】
前記残り放送時間をカウントダウンして出力することを特徴とする請求項５又は６に記載のテレビジョン受信機。
【請求項８】
前記出力手段は、前記関連情報を画面上にメッセージデータとして表示することを特徴とする請求項１記載のテレビジョン受信機。
【請求項９】
前記出力手段は、前記関連情報を音声メッセージ、又は音により報知することを特徴とする請求項１又は８に記載のテレビジョン受信機。
【請求項１０】
放送局と、該放送局から送信される放送番組を受信するテレビジョン受信機とを含む放送システムであって、
前記放送局は、放送信号に番組本編とコマーシャルとの切り替わり時刻情報を付加して送信し、
前記テレビジョン受信機は、請求項１乃至９のいずれか一項に記載のテレビジョン受信機を用いることを特徴とする放送システム。
【発明の詳細な説明】
【技術分野】
【０００１】
本発明は、コマーシャルを含む放送番組を受信するテレビジョン受信機及び放送システムに関する。
【背景技術】
【０００２】
地上波による放送や衛星放送、ＣＡＴＶなどの放送システムでは、コマーシャル（ＣＭ）の導入により伝送コストやコンテンツに対するコストを視聴者に代わってＣＭのスポンサーが肩代わりすることにより、視聴者はリーズナブルなコストでサービスを受けることができるようになっている。これを実現するために現行の放送システムでは放送局側で番組内容にＣＭを挿入して送信している。
【０００３】
広告記録時における広告選択方法については、例えば特許文献１では、視聴者がＣＭに対する自分の嗜好を制限部で登録し、放送番組には対応するＣＭの候補を参照する信号のみを多重し、受信側では蓄積されたＣＭの中からを参照信号と視聴者の嗜好を基にＣＭが選択され、番組に挿入される。視聴者が広告放送を取捨選択する方法が記載されている。
【０００４】
また、特許文献２には、番組放送中の各イベントの発生時間をタイムチャートで画面に表示する表示装置及びオンエア進行表示方法が開示されている。
【０００５】
また、特許文献３には、テレビ放送番組の正味放送番組部分以外の受信内容を視聴者に見せない装置が開示されている。この装置では、放送番組内容を携帯端末などから外部のサーバーにアクセスして取得し、正味放送番組部分以外を画面に表示しない、もしくは録画機器に録画しないようにする。
【０００６】
また、特許文献４には、競馬レースの出走時刻までの残時間を画面に表示する在宅投票装置が開示されている。この装置では、競馬レース放送番組において、文字放送によりオッズ情報（競馬に係わる情報）等を受信し、競馬の出走まで時間情報を映像や音声で知らせる。
【０００７】
【特許文献１】特開平１０−７９７１１号公報
【特許文献２】特開平９−２２４１９１号公報
【特許文献３】特開２００３−６９９７５号公報
【特許文献４】特開平７−１４３２５４号公報
【発明の開示】
【発明が解決しようとする課題】
【０００８】
このような従来の放送番組受信装置等にあっては、番組中の各イベントの開始時間を視覚的に表示することはできるが、イベントの残り時間を直感的にユーザーが知ることはできない。また、番組本編の放送時間を取得するために、ユーザーに（テレビを視聴する以外の）特別な作業を要求する。さらに、競馬番組の放送信号に出走までの時間情報を重畳する技術も特定の番組にしか適用できないものである。
【０００９】
本発明は、このような課題に鑑みてなされたものであって、番組本編とコマーシャルとの切り替わり時を知ることができるテレビジョン受信機及び放送システムを提供することを目的とする。
【課題を解決するための手段】
【００１０】
本発明のテレビジョン受信機は、放送番組を受信するテレビジョン受信機において、放送番組に含まれるコマーシャルを検出するコマーシャル検出手段と、前記コマーシャルと番組本編との切り替わり時刻情報を検出する切替わり時刻検出手段と、前記放送番組に含まれるコマーシャルと番組本編との切り替わり時刻情報を検出するコマーシャル検出手段と、前記切替わり時刻情報に基づいてコマーシャル切替わりに関連する情報を作成する関連情報作成手段と、前記関連情報を出力する出力手段とを備えることを特徴としている。
【００１１】
前記切替わり時刻検出手段は、放送局から送信される放送信号に付加される情報を基に、放送番組に含まれるコマーシャルと番組本編との切り替わり時刻情報を検出することがより好ましい。
【００１２】
より好ましい具体的な態様として、前記放送信号に付加される情報は、ＥＰＧに含まれる番組付帯情報、又は、テレビジョン信号の垂直帰線消去期間の信号に含まれる情報である。
【００１３】
前記切替わり時刻検出手段は、番組毎のコマーシャルの放送実績を学習してコマーシャルのスケジュールデータを構築するコマーシャルデータ構築手段を備え、前記コマーシャルのスケジュールデータに基づいてコマーシャルと番組本編との切り替わり時刻情報を検出することがより好ましい。
【００１４】
前記コマーシャル切替わりに関連する情報は、コマーシャルの残り放送時間であってもよく、次のコマーシャルが始まるまでの番組本編の残り放送時間であってもよい。
【００１５】
より好ましい具体的な態様として、前記残り放送時間をカウントダウンして出力する。
【００１６】
前記出力手段は、前記関連情報を画面上にメッセージデータとして表示するものであってもよく、前記関連情報を音声メッセージ、又は音により報知するものであってもよい。
【００１７】
本放送システムは、放送局と、該放送局から送信される放送番組を受信するテレビジョン受信機とを含む放送システムであって、前記放送局は、放送信号に番組本編とコマーシャルとの切り替わり時刻情報を付加して送信し、前記テレビジョン受信機は、請求項１乃至９のいずれか一項に記載のテレビジョン受信機を用いることを特徴としている。
【発明の効果】
【００１８】
以上、詳述したように、本発明によれば、番組本編とコマーシャルとの切り替わり時を知ることができる。これにより、番組復帰までの時間を容易に知ることができ、それを画面に表示することにより、ユーザに対しても番組復帰までの時間をわかりやすくかつ正確に通知することができる。
【発明を実施するための最良の形態】
【００１９】
以下、添付図面を参照しながら本発明の好適なテレビジョン受信機及び放送システムの実施の形態について詳細に説明する。
【００２０】
第１の実施の形態
図１は、本発明の第１の実施の形態のテレビジョン受信機の構成を示す図である。本実施の形態に係るテレビジョン受信機は、デジタル放送の電波を受信可能なデジタル放送受信機能を備えたテレビジョン受信機に適用したものである。
【００２１】
図１において、テレビジョン受信機１は、アンテナ１１から放送信号を受信するチューナ１２と、受信した放送信号に多重化されている番組付帯情報を分離する番組情報分離部１３（コマーシャル検出手段の一部）と、ストリームデータのデコード処理を行うデコード部１４と、ＥＰＧ（Electrical Program Guide：電子番組ガイド）に含まれる番組付帯情報から現在の放送内容が番組本編であるか又はコマーシャルであるかを検出する放送内容検出部１５（コマーシャル検出手段，切替わり時刻検出手段）と、放送内容がコマーシャルに切り替わった場合のコマーシャルの残り放送時間を算出する残り放送時間算出部１６（関連情報作成手段）と、デコードされた映像信号と算出した残り時間とを重ね合わせて表示する表示データ制御部１７（出力手段の一部）と、多重化された表示データをテレビ画面に表示する表示装置１８（出力手段の一部）とを備えて構成される。
【００２２】
放送内容検出部１５は、放送番組に含まれるコマーシャルと番組本編との切り替わり時刻情報を検出する。
【００２３】
残り放送時間算出部１６は、コマーシャル切替わり時刻情報に基づいてコマーシャル切替わりに関連する情報を作成し、表示データ制御部１７に出力する。
【００２４】
上記放送内容検出部１５、残り放送時間算出部１６及び表示データ制御部１７は、具体的にはマイクロプロセッサからなるＴＶマイコンにより構成され、ＴＶマイコンのコマーシャルの残り放送時間制御処理により実行される。このＴＶマイコンは、テレビジョン受信機１全体の制御を行うとともに、放送内容が番組本編からコマーシャルへの切り替わりを検出した場合に、放送信号から取得したコマーシャル放送時間をカウントダウンする残り放送時間算出制御と、残り放送時間を画面に表示する表示制御を行う。また、ＴＶマイコンは、内部にＯＳＤ発生機能部を有し、チャンネル、時刻、音量などの情報をテレビ等の画面上に表示する。ＴＶ等の映像装置、テレビ会議システム等の電子機器では、チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ＴＶ出力／ビデオ入力端子に図示しないＤＶＤ等の画像再生装置を接続すれば、表示画面上に再生画像に重畳してＯＳＤ表示が可能である。
【００２５】
以下、上述のように構成されたテレビジョン受信機の動作を説明する。
本テレビジョン受信機では、地上波やケーブル、ＢＳ、ＣＳ等の放送のテレビ番組が受信される。放送されたテレビ放送番組は、入力端子より受信放送番組を含む信号として受信装置で受信され、その受信データは本テレビジョン受信機に入力される。
【００２６】
チューナ１２は、アンテナ１１からの放送信号を受信し、特定の１つ又は複数の番組放送を選択し次処理にて利用可能な放送ストリームとする処理部であり、番組を前処理するデスクランブラ等を含んで構成される。チューナ１２で受信した放送ストリームは、図２に示すように番組付帯情報が多重化されて送信されている。図２は、放送ストリーム構成を示す図であり、この図に示すように、放送ストリームは映像、音声、番組付帯情報の各パケットを有し、この番組付帯情報パケットはヘッダと情報からなる。この番組付帯情報には、放送内容が番組本編であるか、コマーシャルであるかを区別する情報とコマーシャルの放送時間が付加されている。また、図示しないデジタル放送信号送出装置は、放送信号に、上記番組本編であるか、コマーシャルであるかを区別する情報とコマーシャルの放送時間を付加して信号を送出する。
【００２７】
番組情報分離部１３は、受信した放送信号に多重化されている番組付帯情報を分離し、分離した番組付帯情報を放送内容検出部１５に送るとともに、放送ストリームをデコード部１４に送る。
【００２８】
放送内容検出部１５では、放送内容がコマーシャルに切り替わったときに放送信号から取得したコマーシャルの残り放送時間を残り放送時間算出部１６に送信する。
【００２９】
コマーシャルの残り放送時間を受信した残り放送時間算出部１６は、受信したコマーシャルの残り放送時間のカウントダウンを開始する。同時に、所定時間（例えば１秒）毎に残り放送時間を表示データ制御部１７に送信し、残り放送時間の表示要求を行う。表示要求を受信した表示データ制御部１７は、受信したコマーシャルの残り放送時間をデコードされた放送信号に多重化して表示装置１８に出力し、表示装置１８はテレビ画面にコマーシャルの残り放送時間を表示する。
【００３０】
図３は、放送画面１０に表示されたコマーシャル残り放送時間２０（コマーシャル切替わりに関連する情報）の一例を示す図である。図３に示すように、放送画面１０の下方に「コマーシャルの残り放送時間は１０秒です」と表示される。残り時間は、１秒毎にカウントダウンして表示される。なお、表示位置や表示形態は図３に限定されるものではない。例えば、ＯＳＤによりコマーシャル残り放送時間を示すゲージ（１秒を１個とするブロック表示など）と残時間値を合わせて表示してもよく、また残時間をフラッシング表示する、残時間を画面に色識別で段階表示する態様でもよい。さらに、発音装置として残り放送時間算出部１６からの出力信号をデジタル信号処理する音声コーデック（出力手段の一部）を設置する構成でもよい。音声コーデックは、ＰＣＭ（Pulse Code Modulation）音源ＩＣ等により構成され、残り放送時間算出部１６から受け取った信号を音声信号に変換してスピーカから出力する。例えば、コマーシャル放送に入る前には、「もうすぐコマーシャルに入ります」、コマーシャル放送に入ると、「コマーシャルの残り放送時間はあと１５秒です」などと、あらかじめ録音しておいた実際の人間の音声データを発音する。
【００３１】
図１の説明に戻って、コマーシャルから番組本編に復帰する際には、放送内容検出部１５から番組再開を通知する。番組再開を通知された残り放送時間算出部１６は残り放送時間のカウントダウンを停止し、表示データ制御部１７に残り放送時間表示要求の取り消しを通知する。
【００３２】
上述したコマーシャルの残り放送時間表示動作を図４乃至図６の各フローを参照して詳細に説明する。図４及び図５に示すフローは、ＴＶマイコンのコマーシャル残り放送時間制御処理により実行される。
【００３３】
図４は、番組本編からコマーシャルへの切り替わり検知処理を示すフローチャートである。図中、Ｓはフローの各ステップを示す。
【００３４】
本フローに入る前処理で、番組情報分離部１３により放送信号から番組付帯情報（ＥＰＧ）が分離・取得され、放送内容検出部１５によりこの番組付帯情報に含まれる、番組本編からコマーシャル又はコマーシャルから番組本編への切り替え時間情報が検出されているものとする。
【００３５】
まず、ステップＳ１で放送内容検出部１５から残り放送時間算出部１６にコマーシャルの残り放送時間を通知する。ステップＳ２で残り放送時間算出部１６は受信したコマーシャルの残り放送時間をカウントダウンし、ステップＳ３で１秒が経過したか否かを判別する。１秒が経過していない場合は上記ステップＳ２に戻って１秒が経過するまでカウントダウンを継続する。１秒が経過した場合は、コマーシャルの残り放送時間が経過したか否かを判別し、コマーシャルの残り放送時間が経過していなければ、ステップＳ５で残り放送時間算出部１６は表示データ制御部１７にコマーシャルの残り放送時間表示要求を発行する。ステップＳ６では、表示要求を受信した表示データ制御部１７は受信したコマーシャルの残り放送時間をデコードされた放送信号に多重化してテレビ画面に表示して（図３参照）、上記ステップＳ２に戻る。
【００３６】
一方、上記ステップＳ４でコマーシャルの残り放送時間が経過したときは、ステップＳ７でコマーシャルの残り放送時間の表示を解除して本フローを終了する。なお、前述したように、上記ステップＳ５乃至ステップＳ７において、コマーシャルの残り放送時間要求を音声コーデック回路に出力し、コマーシャルの残り放送時間表示に併用してあるいは、音声のみで残り放送時間を報知するようにしてもよい。
【００３７】
図５は、コマーシャルから番組本編への切り替わり検知処理を示すフローチャートである。
放送内容検出部１５により番組付帯情報に含まれる、コマーシャルから番組本編への切り替え時間情報が検出されると本プログラムがスタートし、ステップＳ１１で放送内容検出部１５は残り放送時間算出部１６に番組復帰通知を発行する。ステップＳ１２で残り放送時間算出部１６は受信したコマーシャルの残り放送時間をカウントダウンを停止し、ステップＳ１３で表示データ制御部１７に発行するコマーシャルの残り放送時間表示要求を取消し本フローを終了する。
【００３８】
以上のように、本実施の形態のテレビジョン受信機１は、放送番組に含まれるコマーシャルと番組本編との切り替わり時刻情報を検出する放送内容検出部１５と、コマーシャル切替わり時刻情報に基づいてコマーシャル切替わりに関連するコマーシャルの残り放送時間を算出する残り放送時間算出部１６と、デコードされた映像信号と算出した残り時間とを重ね合わせて表示する表示データ制御部１７とを備えて構成したので、番組復帰までの時間を容易に知ることができ、それを画面に表示することにより、ユーザに対しても番組復帰までの時間をわかりやすくかつ正確に通知することができる。これにより、例えばドラマ等のテレビを見ていてＣＭ中にトイレ等に行こうとした時、ＣＭが終わるまでの時間が表示されるため、ユーザは本編番組ドラマの再開に間に合うように戻ることが可能になる。また、ＣＭ終了後の次の番組までの開始時間を表示するようにすれば、番組の初めから必ず視聴することが可能になる。上述した効果は、チャンネルを切り替えて別番組にした時など、本編とＣＭとの切り替わりの状況が分らない場合に特に有効である。
【００３９】
また、本実施の形態は、放送信号にあらかじめコマーシャルの放送時間情報を付加しているので、テレビの視聴以外に特別な操作をユーザに要求することはなく、かつコマーシャルを含む一般的なデジタルテレビ放送に適用可能である。
【００４０】
なお、本実施の形態では、ＥＰＧに含まれる番組付帯情報からコマーシャル情報を検出する例について説明したが、コマーシャル情報を検出できればＥＰＧには限定されず、例えばテレビジョン信号の垂直帰線消去期間のＥＤＳ（Extended Data Service）信号に含まれるＥＤＳ信号、又はＴＥＬＴＥＸＴ信号に含まれるコマーシャル情報を用いてもよい。
【００４１】
第２の実施の形態
図６は、本発明の第２の実施の形態のテレビジョン受信機の構成を示す図である。本実施の形態に係るテレビジョン受信機は、番組本編であるかコマーシャルであるかを区別する情報等が放送信号に付加されていない場合、あるいは、それらの番組付帯情報を用いない場合の例である。図１に示すテレビジョン受信機と同一構成部分には同一符号を付して重複箇所の説明を省略する。
【００４２】
図６において、テレビジョン受信機３０は、アンテナ１１から放送信号を受信するチューナ１２と、受信した放送信号に多重化されているＥＰＧ等の番組付帯情報を分離する番組情報分離部１３と、ストリームデータのデコード処理を行うデコード部１４と、コマーシャルが含まれるＥＰＧ等の番組表を基に蓄積されたコマーシャルの放送実績を学習してコマーシャルのスケジュールデータ（以下、ＣＭデータという）を構築するＣＭデータ構築部３１（コマーシャルデータ構築手段）と、コマーシャルが含まれる番組表とコマーシャルの放送実績を蓄積するとともに、構築されたＣＭデータを記録するＣＭデータ記録部３２と、ＣＭデータ構築部３１からのＣＭデータ学習結果に基づいて放送内容がコマーシャルに切り替わった場合のコマーシャルの残り放送時間を算出する残り放送時間算出部１６と、デコードされた映像信号と算出した残り時間とを重ね合わせて表示する表示データ制御部１７と、多重化された表示データをテレビ画面に表示する表示装置１８とを備えて構成される。
【００４３】
上記ＣＭデータ構築部３１及びＣＭデータ記録部３２は、全体として放送内容が番組本編であるか又はコマーシャルであるかを検出する放送内容検出部３３（コマーシャル検出手段，切替わり時刻検出手段）を構成する。
【００４４】
上記放送内容検出部３３、残り放送時間算出部１６及び表示データ制御部１７は、具体的にはマイクロプロセッサからなるＴＶマイコンにより構成され、ＴＶマイコンのコマーシャルの残り放送時間制御処理により実行される。
【００４５】
図７は、ＥＰＧ等の番組表を基に構築される番組ＣＭ情報の一例を示す図である。ＣＭデータ記録部３２は、図７に示す番組ＣＭ情報を保持する。
【００４６】
図７において、番組ＣＭ情報は、「番組識別子」、「チャンネル」、「放送開始日時」、「放送終了日時」、「番組名」、「ジャンル」、「ＣＭ種別」、「ＣＭ回数」、ｎ個の「ＣＭ開始時刻／終了時刻」、及び「ＣＭ情報フラグ」の各項目から構成される。「番組識別子」乃至「ジャンル」の項目はＥＰＧ等の番組表データをそのまま用いる。「ＣＭ種別」は、一定単位（１５秒単位が多い）を１つとし定時に放送されるＣＭを通常「１」、単位時間又は放送時間に変動があるＣＭを「０」、ＮＨＫ放送などＣＭに該当しないお知らせ情報を「−（設定せず）」とする。本実施の形態における残り放送時間表示動作は、「ＣＭ種別」が「１：通常」のＣＭ学習値を制御対象としている。「ＣＭ回数」は、番組中に放送されるＣＭの回数であり、番組放送中のＣＭは勿論のこと、番組放送開始前と番組放送終了後、次の番組が始まるまでの時間帯のＣＭもその番組に属するものとしてカウントする。「ＣＭ開始時刻／終了時刻」は、前記ＣＭ回数に対応するＣＭの数だけＣＭの開始時刻と終了時刻を時分秒の単位で記録する。ここで、放送番組中のコマーシャルは、番組本編の放送信号とＣＭ放送時の放送信号の周波数変化や出力レベルの変化、ステレオ／モノラル信号の切替え検出などによる従来公知の方法で検出することができる。ところで、検出状態によっては番組ＣＭ情報として記録される「ＣＭ開始時刻／終了時刻」は秒単位で変動することもあるため、前回までの値との移動平均をとった値を「ＣＭ開始時刻／終了時刻」として記録することが好ましい。また、検出値が前回値と大幅に異なる場合には、ＣＭ放送時刻が変更になった場合のほか、誤検出の場合も考えられるので「ＣＭ開始時刻／終了時刻」として一応は記録するものの、「ＣＭ情報フラグ」を「０」として今回の番組放送におけるＣＭ表示制御には使用しない。なお、次回の検出値が前回値と僅差である場合には、「ＣＭ情報フラグ」は「１」に戻される。「ＣＭ情報フラグ」は、ＣＭデータ検出結果を通知／非通知にするためのフラグである。このフラグは、ＣＭデータ検出結果が適切に得られたとき「１」を立て、フラグ「１」である場合には要求に従って通知する。また、ユーザ指示によってフラグ「０」とすることができ、ＣＭデータ検出結果を非通知にすることができる。
【００４７】
以下、上述のように構成されたテレビジョン受信機の動作を説明する。
図８は、ＣＭデータ学習処理を示すフローチャートである。
まず、ステップＳ２１でＥＰＧなどから番組表構成内容データを取得し、ステップＳ２２で番組表に基づく放送が行われたか否かを判別する。番組表に基づく放送が行われていないとき（例えば、特別番組が組まれた場合や番組時間が変更された場合など）、ＣＭデータ構築条件にないと判断して本フローを終了する。番組表に基づく放送時間で放送が行われているときは、ステップＳ２３で放送番組中のコマーシャルを検出しそのコマーシャルの開始時刻と終了時刻を一時的に保存する。コマーシャル検出は、番組本編の放送信号とＣＭ放送時の放送信号の周波数変化や出力レベルの変化、ステレオ／モノラル信号の切り替えにより検出することができる。
【００４８】
ステップＳ２４では、放送番組中のコマーシャルの開始時刻と終了時刻が記録され、かつ変更がないか否かを判別する。放送番組中のコマーシャルの開始時刻と終了時刻が記録されていないか、あるいはその時刻に変更があるときはステップＳ２５で放送番組中のコマーシャルの開始時刻と終了時刻を更新する。次いで、ステップＳ２６で番組が変更されたか、あるいは次の番組に移行したかを判別し、番組の変更がなければ上記ステップＳ２３に戻って放送番組中のコマーシャルの時刻学習処理を継続する。
【００４９】
上記ステップＳ２６で番組の変更があると、ステップＳ２７で放送番組中のコマーシャルの開始時刻と終了時刻が適切に得られたか否かを判別し、放送番組中のコマーシャルの開始時刻と終了時刻が得られたときは、ステップＳ２８で図７に示す番組ＣＭ情報の「ＣＭ情報フラグ」に「１」を立て本フローを終了する。また、上記ステップＳ２４で放送番組中のコマーシャルの開始時刻と終了時刻が記録され、かつ変更がないときもステップＳ２８に進み、「ＣＭ情報フラグ」に「１」を立て本フローを終了する。また、上記ステップＳ２７で放送番組中のコマーシャルの開始時刻と終了時刻が適切に得られなかったときは「ＣＭ情報フラグ」を「０」にして本フローを終了する。
【００５０】
上述したＣＭデータ学習処理を、一定期間（好ましくは数週間分）にわたって実行してデータを蓄積することにより図７に示す番組ＣＭ情報を構築することができる。なお、図８に示すＣＭデータ学習処理を、本テレビジョン受信機３０以外の装置（例えば、ＡＶ機器制御システムや番組予約装置）で実行し、本テレビジョン受信機３０は該番組ＣＭ情報を受け取るだけの態様でもよい。
【００５１】
図９は、ＣＭデータ通知処理を示すフローチャートである。
まず、ステップＳ３１でＣＭデータ出力要求があるか否かを判別し、ＣＭデータ出力要求があれば、ステップＳ３２で現在放送中の番組が本来の番組放送時刻、すなわちＥＰＧ等の番組表で指定された番組放送時刻で放送されているか否かを判別する。現在放送中の番組が本来の番組放送時刻で放送されているときは、ステップＳ３３でＣＭデータ記録部３２に記録された番組ＣＭ情報からＣＭデータ構築部３１に対して現在放送中の番組のＣＭデータを出力する。
【００５２】
次いで、ステップＳ３４で出力されたＣＭデータにＣＭ情報フラグが立っているか（ＣＭ情報フラグ：１か）否かを判別し、ＣＭ情報フラグが立っていれば、ステップＳ３５で現在時刻に対応するＣＭデータ（現在時刻のＣＭデータとその次のＣＭデータ）の開始時刻と終了時刻を選択し通知して本フローを終了する。
【００５３】
例えば、図７に示す番組ＣＭ情報の「海物語」（ドラマ）について例を挙げる。現在時刻が１９：５８でありチャンネル変更がないとすれば、２０：００から「海物語」が始まることになるが、本編の放送に先立ってＣＭ放送が始まる。過去のデータの学習により、１回目のＣＭ放送ではコマーシャルが７５秒間放送されることがデータとして蓄積されている。そこで、ＣＭデータ出力要求が１９：５８に発行されると、次にそのチャンネルで放送される番組（ここでは「海物語」）の１回目のコマーシャルの開始時刻（２０：００：００）と終了時刻（２０：０１：１５）のデータが選択されて通知される。
【００５４】
その後は、前記図４に示す番組本編からコマーシャル／コマーシャルから本編への切り替わり検知処理に移行し、前述したようにコマーシャルの残り放送時間をカウントダウンし、放送信号に多重化してテレビ画面に表示する（図３参照）。なお、本実施の形態では、第１の実施の形態の場合と異なりＣＭデータは過去の学習に基づく推定値であるため余り厳密に表示することは適当でない。「コマーシャルの残り放送時間はあと約１５秒です」などと表示することが好ましい。この例では、「コマーシャルはあと約１０秒で終わり本編が始まります」と表示する。ここで、本実施の形態では、ＣＭデータを単に時間割で蓄積するのではなく、番組識別子及び番組名の番組属性として番組ＣＭ情報のＣＭデータを蓄積しているので、そのＣＭデータが属する番組情報を併せて表示することが可能である。例えば、上記画面表示は、「コマーシャルはあと約１０秒で終わって、ドラマ「海物語」が始まります」と表示することができ、より一層ユーザに分りやすい表示（音声併用や音声のみも含む）とすることができる。
【００５５】
上述した説明は、ＣＭデータに基づくコマーシャルの残り放送時間の表示例であるが、同様の方法により本編終了とコマーシャルの開始を表示（音声併用や音声のみも含む）することも可能である。一例を挙げると、「本編はあと約３０秒で終わり、その後約７５秒のコマーシャルが始まります」などである。
【００５６】
図９のフローに戻って、ステップＳ３２で現在放送中の番組が本来の番組放送時刻で放送されていないとき、例えば、緊急番組が入ったときや野球中継放送等の放送時間が延びて以降の番組放送時間が繰り下がったときは、適切なＣＭデータ通知が行えないと判断してステップＳ３６でＣＭデータ出力要求を取り消して本フローを終了する。また、ステップＳ３４で出力されたＣＭデータにＣＭ情報フラグが立っていないときもＣＭデータ通知条件にないと判断してステップＳ３６でＣＭデータ出力要求を取り消して本フローを終了する。ＣＭ情報フラグが立っていない場合とは、該当番組に関して図７に示す番組ＣＭ情報が蓄積されていない場合やユーザ指示により表示をしない場合などである。
【００５７】
図１０は、ＣＭデータ表示／非表示処理を示すフローチャートである。
まず、ステップＳ４１で番組表示中にユーザのリモコン操作等によりＣＭデータ非表示が指示されたか否かを判別し、ＣＭデータ非表示が指示されたときは、ステップＳ４２でＣＭデータ記録部３２に記録されている番組ＣＭ情報のＣＭ情報フラグを０にして本フローを終了する。この処理により、該当する番組のＣＭデータの通知はスキップされ、その結果ＣＭデータは非表示となる。本実施の形態では、蓄積した番組ＣＭ情報自体はデータベースとして保存されるため、蓄積データは無駄にならず、フラグを立てるだけでＣＭデータ表示状態に容易に復帰させることが可能である。
【００５８】
以上のように、本実施の形態のテレビジョン受信機３０は、コマーシャルが含まれるＥＰＧ等の番組表を基に蓄積されたコマーシャルの放送実績を学習してＣＭデータを構築するＣＭデータ構築部３１と、コマーシャルが含まれる番組表とコマーシャルの放送実績を蓄積するとともに、構築されたＣＭデータを記録するＣＭデータ記録部３２とを備えて構成したので、第１の実施の形態と同様の効果を得ることができることに加え、特に、番組毎にコマーシャルと番組本編との切り替わり時刻情報を持つＣＭデータを構築しているので、放送信号に番組本編であるかコマーシャルであるかを区別する情報等が付加されていない場合や、それらの番組付帯情報を用いない（用いることができない）場合であっても番組本編とコマーシャルとの切り替わり時を知ることができる。したがって、放送信号にコマーシャル情報が付加されていない放送番組を受信する汎用テレビジョン受信機に適用して好適である。また、テレビジョン受信機があらかじめ備えるＴＶ制御部やメモリの一部を使用して実現できるので、特別な部材や新たな部品を付加することなく、かつ既存のテレビジョン受信機の設計変更を招くことなく低コストで容易に実施することができる。
【００５９】
なお、本発明のテレビジョン受信機及び放送システムは、上述の実施の形態に限定されるものではなく、本発明の要旨を逸脱しない範囲内において種々変更を加え得ることは勿論である。例えば、上述したようなテレビジョン受信機に適用することもできるが、これには限定されず、全てのシステムに適用可能である。記録再生装置やテレビジョン受信機の通信機能として組み込まれたものでもよい。さらに、受信側装置として、パソコンに代表される情報機器機能に融合された装置であってもよい。
【００６０】
また、放送情報の種類及び放送信号はどのようなものでもよい。またコマーシャルとは、いわゆるＣＭのほか、ＣＭの形態をとらない交通情報や環境情報（花粉情報など）、さらには緊急情報も含む概念であって付加情報を提供するものであれば狭義のＣＭには限定されない。
【００６１】
また、本実施の形態ではテレビジョン受信機及び放送システムという名称を用いたが、これは説明の便宜上であり、表示制御装置、コマーシャル情報選択再生方法等であってもよいことは勿論である。
【００６２】
さらに、上記放送局、テレビジョン受信機を構成するシステムの制御装置、記憶装置等の種類、構築されるＣＭデータの種類、選択方法、画面表示方法などは前述した実施形態に限られないことは言うまでもなく、ソフトウェアに限らずハードウェアにより実現するようにしてもよい。
【００６３】
以上説明したテレビジョン受信機及び放送システムは、このテレビジョン受信機等を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００６４】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００６５】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【図面の簡単な説明】
【００６６】
【図１】本発明の第１の実施の形態のテレビジョン受信機の構成を示す図である。
【図２】本実施の形態の放送ストリーム構成を示す図である。
【図３】本実施の形態のテレビジョン受信機の放送画面に表示されたコマーシャル残り放送時間の一例を示す図である。
【図４】本実施の形態のテレビジョン受信機の番組本編からコマーシャルへの切り替わり検知処理を示すフローチャートである。
【図５】本実施の形態のテレビジョン受信機のコマーシャルから番組本編への切り替わり検知処理を示すフローチャートである。
【図６】本発明の第２の実施の形態のテレビジョン受信機の構成を示す図である。
【図７】本実施の形態のテレビジョン受信機のＥＰＧ等の番組表を基に構築される番組ＣＭ情報の一例を示す図である。
【図８】本実施の形態のテレビジョン受信機のＣＭデータ学習処理を示すフローチャートである。
【図９】本実施の形態のテレビジョン受信機のＣＭデータ通知処理を示すフローチャートである。
【図１０】本実施の形態のテレビジョン受信機のＣＭデータ表示／非表示処理を示すフローチャートである。
【符号の説明】
【００６７】
１，３０  テレビジョン受信機
１０  放送画面
１１  アンテナ
１２  チューナ
１３  番組情報分離部（コマーシャル検出手段の一部）
１４  デコード部
１５，３３  放送内容検出部（コマーシャル検出手段，切替わり時刻検出手段）
１６  残り放送時間算出部（関連情報作成手段）
１７  表示データ制御部（出力手段の一部）
１８  表示装置（出力手段の一部）
２０  コマーシャル残り放送時間（コマーシャル切替わりに関連する情報）
３１  ＣＭデータ構築部（コマーシャルデータ構築手段）
３２  ＣＭデータ記録部
【図１】
2005151049.tif 000003
【図２】
2005151049.tif 000004
【図３】
2005151049.tif 000005
【図４】
2005151049.tif 000006
【図５】
2005151049.tif 000007
【図６】
2005151049.tif 000008
【図７】
2005151049.tif 000009
【図８】
2005151049.tif 000010
【図９】
2005151049.tif 000011
【図１０】
2005151049.tif 000012